(57)【要約】【課題】作業者が表示パネルを短時間で持ち上げることができ、また額縁を狭くして外観意匠性を向上させることができる表示装置を提供する。【解決手段】作業者が基部３３ａを押圧することによって、基部３３ａが弾性変形し、保持板３１に保持された表示パネル１を短時間で持ち上げることができ、また作業者が指を入れることはないので、表示パネル１と壁部３２との隙間を小さくして、表示装置の額縁を狭くし、外観意匠性を向上させることができる構成とした。【選択図】図２
2011017793.tif 000002
【特許請求の範囲】
【請求項１】
映像を表示する表示パネルと、該表示パネルの縁部分を一面側にて保持する枠状の保持板とを備える表示装置において、
前記保持板に保持された前記表示パネルを押圧する押圧部を備えることを特徴とする表示装置。
【請求項２】
前記保持板の外縁部に連なり、前記保持板の両面側に延出した壁部と、
前記保持板の一面側から他面側に亘って前記壁部に形成された相隣る二つの壁切欠と、
前記保持板にて、二つの前記壁切欠に対応する位置に設けてある収容部とを備え、
前記押圧部は、
二つの前記壁切欠の間に位置しており、前記壁部に連なる基部と、
該基部の中途部から延出して前記収容部に収容され、前記表示パネルを支持する支持部と
を備えることを特徴とする請求項１に記載の表示装置。
【請求項３】
前記収容部は、二つの前記壁切欠に対向しており、前記保持板に形成された切欠であることを特徴とする請求項２に記載の表示装置。
【請求項４】
前記収容部は、二つの前記壁切欠に対向しており、前記保持板に形成されたスリットであることを特徴とする請求項２に記載の表示装置。
【請求項５】
前記保持板の外縁部に連なり、前記保持板の両面側に延出した壁部と、
前記保持板の一面側から他面側に亘って前記壁部に形成された開口と、
該開口に対向しており、前記保持板に形成された切欠とを備え、
前記押圧部は、
前記切欠の奥部から前記開口へ延出しており、前記表示パネルを支持する支持部を備えること
を特徴とする請求項１に記載の表示装置。
【請求項６】
前記保持板の外縁部に連なり、前記保持板の他面側に延出した壁部を備え、
前記押圧部は、
前記保持板の一面側に配置され、前記表示パネルを支持する支持部と、
該支持部に連なり、前記壁部の側面に対向するように配置され、前記支持部の位置決めを行う位置決め部と
を備えることを特徴とする請求項１に記載の表示装置。
【請求項７】
前記保持板に形成してあり、前記支持部を前記保持板の一面側から収容する収容部を備えることを特徴とする請求項６に記載の表示装置。
【請求項８】
前記壁部の側面と前記位置決め部との互いに対向する部分に、前記壁部と前記位置決め部との位置を調整する調整部をそれぞれ設けてあることを特徴とする請求項６又は７に記載の表示装置。
【請求項９】
前記壁部の側面と前記位置決め部との互いに対向する部分に、前記位置決め部の移動を規制する規制部と該規制部を受ける受部とがそれぞれ設けてあることを特徴とする請求項６から８のいずれか一つに記載の表示装置。
【請求項１０】
前記表示パネルの縁部分と前記保持板との間に、前記保持板の内縁に沿う複数の弾性部材が配置してあり、
前記押圧部を前記弾性部材同士の間に配置してあること
を特徴とする請求項１から９のいずれか一つに記載の表示装置。
【発明の詳細な説明】
【技術分野】
【０００１】
本発明は映像を表示する表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されている。
【０００３】
液晶表示パネルはパネル保持枠に保持されており、パネル保持枠と液晶表示パネルの縁部分とは所定長離間している（例えば特許文献１参照）。液晶表示装置の保守・管理を行う場合に、作業者は必要に応じて液晶表示装置を平置きにし、前キャビネットを取り外して、パネル保持枠と液晶表示パネルの縁部分との隙間に指を入れ、液晶表示パネルを持ち上げる。
【先行技術文献】
【特許文献】
【０００４】
【特許文献１】特開２００１−３５０１３６号公報
【発明の概要】
【発明が解決しようとする課題】
【０００５】
しかし液晶表示パネルは割れやすく、作業者は液晶表示パネルを持ち上げる作業を慎重に行う必要があり、保守・管理に長時間を要する。また作業者の指を入れることができる隙間を液晶表示パネルとパネル保持枠との間に確保することによって、液晶表示装置の額縁が太くなり、外観意匠性が低下する。
【０００６】
本発明は斯かる事情に鑑みてなされたものであり、作業者が表示パネルを短時間で持ち上げることができ、また額縁を狭くして外観意匠性を向上させることができる表示装置を提供することを目的とする。
【課題を解決するための手段】
【０００７】
本発明に係る表示装置は、映像を表示する表示パネルと、該表示パネルの縁部分を一面側にて保持する枠状の保持板とを備える表示装置において、前記保持板に保持された前記表示パネルを押圧する押圧部を備えることを特徴とする表示装置。
【０００８】
本発明においては、作業者が押圧部を操作することによって、保持板に保持された表示パネルを短時間で持ち上げる。押圧部を設けることで、表示パネルの周囲の隙間を狭くすることができる。
【０００９】
本発明に係る表示装置は、前記保持板の外縁部に連なり、前記保持板の両面側に延出した壁部と、前記保持板の一面側から他面側に亘って前記壁部に形成された相隣る二つの壁切欠と、前記保持板にて、二つの前記壁切欠に対応する位置に設けてある収容部とを備え、前記押圧部は、二つの前記壁切欠の間に位置しており、前記壁部に連なる基部と、該基部の中途部から延出して前記収容部に収容され、前記表示パネルを支持する支持部とを備えることを特徴とする。
【００１０】
本発明においては、作業者が基部を押圧することで、基部が弾性変形し、基部から延出した支持部が表示パネルを押し上げる。
【００１１】
本発明に係る表示装置は、前記収容部は、二つの前記壁切欠に対向しており、前記保持板に形成された切欠であることを特徴とする。
【００１２】
本発明においては、保持板に形成した切欠に支持部を収容することで、基部を押圧しない限り、支持部は表示パネル側に突出しないので、表示装置の組立時において、支持部が表示パネルに傷をつけることはない。
【００１３】
本発明に係る表示装置は、前記収容部は、二つの前記壁切欠に対向しており、前記保持板に形成されたスリットであることを特徴とする。
【００１４】
本発明においては、保持板に形成したスリットに支持部を収容することで、基部を押圧しない限り、支持部は表示パネル側に突出せず、表示装置の組立時において支持部は表示パネルを傷つけない。
【００１５】
本発明に係る表示装置は、前記保持板の外縁部に連なり、前記保持板の両面側に延出した壁部と、前記保持板の一面側から他面側に亘って前記壁部に形成された開口と、該開口に対向しており、前記保持板に形成された切欠とを備え、前記押圧部は、前記切欠の奥部から前記開口へ延出しており、前記表示パネルを支持する支持部を備えることを特徴とする。
【００１６】
本発明においては、作業者が開口に指を入れて支持部を押圧することで、表示パネルを短時間で持ち上げることができる。
【００１７】
本発明に係る表示装置は、前記保持板の外縁部に連なり、前記保持板の他面側に延出した壁部を備え、前記押圧部は、前記保持板の一面側に配置され、前記表示パネルを支持する支持部と、該支持部に連なり、前記壁部の側面に対向するように配置され、前記支持部の位置決めを行う位置決め部とを備えることを特徴とする。
【００１８】
本発明においては、作業者が前記位置決め部を保持板の一面側、すなわち表示パネル側へ移動させることによって、支持部が表示パネル側へ移動し、支持部に支持された表示パネルが持ち上がる。
【００１９】
本発明に係る表示装置は、前記保持板に形成してあり、前記支持部を前記保持板の一面側から収容する収容部を備えることを特徴とする。
【００２０】
本発明においては、前記支持部を収容部に収容することによって、支持部は保持板の一面側、すなわち表示パネル側に突出せず、表示装置の組立時において支持部は表示パネルを傷つけない。
【００２１】
本発明に係る表示装置は、前記壁部の側面と前記位置決め部との互いに対向する部分に、前記壁部と前記位置決め部との位置を調整する調整部をそれぞれ設けてあることを特徴とする。
【００２２】
本発明においては、両調整部を所定位置にて固定し、作業者は表示パネルを保持板から所望の距離だけ持ち上げる。
【００２３】
本発明に係る表示装置は、前記壁部の側面と前記位置決め部との互いに対向する部分に、前記位置決め部の移動を規制する規制部と該規制部を受ける受部とがそれぞれ設けてあることを特徴とする。
【００２４】
本発明においては、前記位置決め部の移動を規制して、押圧部が保持板から外れることを防止する。
【００２５】
本発明に係る表示装置は、前記表示パネルの縁部分と前記保持板との間に、前記保持板の内縁に沿う複数の弾性部材が配置してあり、前記押圧部を前記弾性部材同士の間に配置してあることを特徴とする。
【００２６】
本発明においては、弾性部材の間に押圧部を配置することで、押圧部によって表示パネルが持ち上がっても、弾性部材と表示パネルとを可能な限り接触させて、保守管理時に塵埃が侵入することを抑制する。
【発明の効果】
【００２７】
本発明に係る表示装置にあっては、押圧部を操作することによって、保持板に保持された表示パネルを作業者が短時間で持ち上げることができる。また押圧部を設けることによって、表示パネルの周囲に指を入れるための隙間を空ける必要がなく、額縁を狭くして外観意匠性を向上させることができる。
【図面の簡単な説明】
【００２８】
【図１】実施の形態１に係る表示装置を略示する縦断面図である。
【図２】パネル保持枠の隅部分を略示する斜視図である。
【図３】押圧部による表示パネルの押し上げを、図２におけるＩＩＩ−ＩＩＩ線での略示断面図を用いて説明する説明図である。
【図４】実施の形態１に係る表示装置の変形例を略示する斜視図である。
【図５】押圧部による表示パネルの押し上げを、図４におけるＶ−Ｖ線での略示断面図を用いて説明する説明図である。
【図６】実施の形態２に係る表示装置を略示する斜視図である。
【図７】押圧部による表示パネルの押し上げを、図６におけるＶＩＩ−ＶＩＩ線での略示断面図を用いて説明する説明図である。
【図８】実施の形態３に係る表示装置の略示断面図である。
【発明を実施するための形態】
【００２９】
（実施の形態１）
以下本発明を実施の形態１に係る表示装置を示す図面に基づいて詳述する。図１は表示装置を略示する縦断面図である。
図において１は液晶を備える矩形の表示パネルであり、該表示パネル１は、液晶への印加電圧を制御して光の透過率を調整し、映像を表示するように構成されている。表示パネル１は、前側に配置された矩形枠状のベゼル２と後側に配置された矩形のパネル保持枠３とによって、その周縁部が挟持されている。表示パネル１とベゼル２と間に、細長い複数の弾性部材５０がベゼル２の内縁部分に沿って設けてある。また表示パネル１とパネル保持枠３と間に、細長い複数の弾性部材５１がパネル保持枠３の内縁部分に沿って設けてある。
【００３０】
表示パネル１は矩形枠状の前キャビネット４に収容されている。該前キャビネット４はベゼル２及びパネル保持枠３の周囲に配置されている。また前キャビネット４は矩形の開口を備えており、該開口の寸法は表示パネル１に対応した寸法となっている。表示パネル１の後側には、後述するＬＥＤ９（光源）の光を表示パネル１へ向けて集光する複数の光学シート５が設けてある。
【００３１】
該光学シート５の後側にはＬＥＤ９の光を均一に拡散する拡散板６が設けてある。該拡散板６は、深皿型の放熱板７の縁部分にて支持されている。放熱板７の前面には複数のＬＥＤ基板８が並設してあり、該ＬＥＤ基板８の後面には、熱伝導性物質、例えば金属からなる膜状の放熱パターン８ａが形成してある。
【００３２】
該ＬＥＤ基板８の前面には複数のＬＥＤ９、９、・・・、９が実装されており、各ＬＥＤ９、９、・・・、９の前側に、光を拡散させるレンズ１０、１０、・・・、１０がそれぞれ配置してある。該レンズ１０の周縁部にはＬＥＤ基板８側に突出した三つの突起１０ａ、１０ａ、１０ａが周方向に並設してあり、該突起１０ａの先端がＬＥＤ基板８の前面に接着剤によって取付けられている。
【００３３】
前記放熱板７の左右には深皿型の反射シート１１を支持する支持台（図示せず）が各別に設けてある。該反射シート１１の底面には、前記レンズ１０を挿入する複数の孔１１ａを開設してある。各レンズ１０は前記孔１１ａを通って前側へ突出している。
【００３４】
放熱板７の後側には深皿形の後キャビネット１２が設けてある。該後キャビネット１２の縦及び横寸法と前キャビネット４の縦及び横寸法は略同じであり、後キャビネット１２の縁部分と前キャビネット４の縁部分とは互いに対向する。前キャビネット４及び後キャビネット１２の縁部分には、図示しない係合凸部及び係合凹部がそれぞれ設けてあり、該係合凸部及び係合凹部を係合させて、前キャビネット４を後キャビネット１２に固定している。なお後キャビネット１２には制御基板（図示せず）が収容してあり、該制御基板からの出力信号に基づいて、ＬＥＤ９及び表示パネル１が駆動するようにしてある。
【００３５】
上述した構成を備える表示装置の保守・管理を行う場合に、作業者は、パネル保持枠３に保持してある表示パネル１を平置きにした状態で持ち上げることがある。図２はパネル保持枠３の隅部分を略示する斜視図である。
【００３６】
パネル保持枠３は表示パネル１に対向する矩形枠状の保持板３１を備えている。該保持板３１は表示パネル１の周縁部を弾性部材５１を介して保持している。保持板３１の内縁部に沿って、弾性部材５１を係止する係止壁３１ａが設けてあり、該係止壁３１ａは保持板３１から表示パネル１側へ突出している。弾性部材５１は係止壁３１ａに沿って、保持板３１に配設してある。図２に示すように、保持板３１の角付近に弾性部材５１は配設されておらず、弾性部材５１同士が離隔している。保持板３１は、前記角付近に収容切欠３１ｂを備えており、該収容切欠３１ｂには、後述する支持部３３ｂが収容される。
【００３７】
保持板３１の外縁部分に、保持板３１に直角な壁部３２が連なっており、該壁部３２は、保持板３１の両面側、すなわち表示パネル１側及びＬＥＤ９側へ延出している。保持板３１の角付近において、表示パネル１側（保持板３１の一面側）の壁部３２に、互いに略平行な細長い二つの壁切欠３２ａ、３２ａが形成してある。該壁切欠３２ａ、３２ａはＬＥＤ９側（保持板３１の他面側）の壁部３２まで延出している。壁切欠３２ａ、３２ａ同士の間の寸法と前記収容切欠３１ｂの幅とは略同じであり、壁切欠３２ａ、３２ａは、図２に示すように、前記収容切欠３１ｂに連なっている。
【００３８】
収容切欠３１ｂ及び壁切欠３２ａ、３２ａ付近に、表示パネル１を押圧する押圧部３３が設けてある。該押圧部３３は、壁切欠３２ａ、３２ａ同士の間に形成され、壁部３２に連なる板状の基部３３ａと、該基部３３ａから収容切欠３１ｂへ延出しており、表示パネル１を支持する舌状の支持部３３ｂとを備える。基部３３ａは壁部３２よりも若干表示パネル１側へ延出している。このため作業者は基部３３ａの延出端部を容易に押圧することができる。支持部３３ｂは収容切欠３１ｂの内側に位置しており、表示パネル１側の支持部３３ｂの面と表示パネル１側の保持板３１の面とは略同一平面内にある。
【００３９】
図３は押圧部３３による表示パネル１の押し上げを、図２におけるＩＩＩ−ＩＩＩ線での略示断面図を用いて説明する説明図である。なお図３においては保持板３１に保持された表示パネル１を追記してある。図３（ａ）は図２におけるＩＩＩ−ＩＩＩ線での略示断面図、図３（ｂ）は、図３（ａ）の状態から基部３３ａを外側に撓ませた場合におけるＩＩＩ−ＩＩＩ線での略示断面図である。図３（ａ）に示すように、保持板３１に保持された表示パネル１の周縁部の一部は支持部３３ｂに対面している。図３（ｂ）の白抜矢符にて示すように、作業者が基部３３ａの延出端部を外側に押圧し、基部３３ａを撓ませた場合に、支持部３３ｂが上側に回動するので、表示パネル１は支持部３３ｂによって押し上げられる。
【００４０】
実施の形態１に係る表示装置にあっては、作業者が基部３３ａを押圧することによって、基部３３ａが弾性変形し、保持板３１に保持された表示パネル１を短時間で持ち上げることができる。また作業者が指を入れることはないので、表示パネル１と壁部３２との隙間を小さくして、表示装置の額縁を狭くし、外観意匠性を向上させることができる。
【００４１】
また、保持板３１に形成した収容切欠３１ｂに支持部３３ｂを収容することで、基部３３ａを押圧しない限り、支持部３３ｂは保持板３１の一面側、すなわち表示パネル１側に突出しないので、表示装置の組立時において、支持部３３ｂが表示パネル１に傷をつけることはない。
【００４２】
また、弾性部材５１同士の間に押圧部３３を配置することで、押圧部３３によって表示パネル１が持ち上がっても、弾性部材５１と表示パネル１とを可能な限り接触させて、保守管理時に塵埃が侵入することを抑制することができる。
【００４３】
なお実施の形態１に係る表示装置は光源としてＬＥＤ９を使用しているが、冷陰極蛍光管を光源として使用しても良い。
【００４４】
（変形例）
次に実施の形態１に係る表示装置の変形例について説明する。図４は実施の形態１に係る表示装置の変形例を略示する斜視図である。変形例においては、枠状の保持板３１は、弾性部材５１の中途部付近に、保持板３１の幅方向に沿う収容スリット３１ｃを備えている。該収容スリット３１ｃに対向するように、壁部３２に壁切欠３２ａ、３２ａが形成されている。壁切欠３２ａ、３２ａ同士の間の寸法と収容スリット３１ｃの幅とは略同じであり、壁切欠３２ａ、３２ａは、図４に示すように、収容スリット３１ｃに連なっている。押圧部３３の支持部３３ｂは、収容スリット３１ｃの内側に位置しており、表示パネル１側の支持部３３ｂの面と表示パネル１側の保持板３１の面とは略同一平面内にある。なお支持部３３ｂの先端は、弾性部材５１を係止するために上側へ屈曲している（後述する図５参照）。
【００４５】
図５は押圧部３３による表示パネル１の押し上げを、図４におけるＶ−Ｖ線での略示断面図を用いて説明する説明図である。なお図５においては保持板３１に保持された表示パネル１を追記してある。図５（ａ）は図４におけるＶ−Ｖ線での略示断面図、図５（ｂ）は、図５（ａ）の状態から基部３３ａを外側に撓ませた場合におけるＶ−Ｖ線での略示断面図である。図５（ａ）に示すように、保持板３１に保持された表示パネル１の周縁部の一部は支持部３３ｂに対面している。図５（ｂ）の白抜矢符にて示すように、作業者が基部３３ａの延出端部を外側へ押圧し、基部３３ａを撓ませた場合に、支持部３３ｂが上側に回動するので、表示パネル１は弾性部材５１によって押し上げられる。このとき弾性部材５１は、支持部３３ｂの上側への回動に伴って変形するので、損壊しない。なお弾性部材５１は、収容スリット３１ｃの上を横切っているが、図５（ｂ）においては、弾性部材５１が収容スリット３１ｃの上を横切っている状態を省略して記載している。
【００４６】
変形例にあっては、保持板３１に形成した収容スリット３１ｃに支持部３３ｂを収容することで、基部３３ａを押圧しない限り、支持部３３ｂは表示パネル１側（保持板３１の一面側）に突出せず、表示装置の組立時において支持部３３ｂは表示パネル１を傷つけない。また弾性部材５１によって押し上げられるので、押し上げによって表示パネル１が傷つくことを確実に回避することができる。
【００４７】
（実施の形態２）
以下本発明を実施の形態２に係る表示装置を示す図面に基づいて詳述する。図６は実施の形態２に係る表示装置を略示する斜視図である。実施の形態２においては、壁部３２における収容切欠３１ｂに対向する部分に、切欠状の開口３２ｂが形成されている。該開口３２ｂの幅寸法は、収容切欠３１ｂの幅寸法と略同じであり、図６に示すように、開口３２ｂと収容切欠３１ｂとは連なっている。収容切欠３１ｂから舌状の支持部３３ｂが延出しており、支持部３３ｂは収容切欠３１ｂ及び開口３２ｂ内に位置している。なお開口３２ｂを、全周を縁で囲まれた窓状に形成しても良い。
【００４８】
図７は押圧部３３による表示パネル１の押し上げを、図６におけるＶＩＩ−ＶＩＩ線での略示断面図を用いて説明する説明図である。なお図７においては保持板３１に保持された表示パネル１を追記してある。図７（ａ）は図６におけるＶＩＩ−ＶＩＩ線での略示断面図、図７（ｂ）は、図７（ａ）の状態から基部３３ｂを表示パネル１側に撓ませた場合におけるＶＩＩ−ＶＩＩ線での略示断面図である。図７（ａ）に示すように、保持板３１に保持された表示パネル１の周縁部の一部は支持部３３ｂに対面している。例えば作業者が開口３２ｂに指を挿入し、図７（ｂ）の白抜矢符にて示すように、支持板３３ｂの延出端部を表示パネル１側へ押圧して、支持板３３ｂを撓ませた場合に、支持部３３ｂが上側に回動するので、表示パネル１は支持部３３ｂによって押し上げられる。
【００４９】
実施の形態２に係る表示装置あっては、作業者が開口３２ｂに指を入れて支持部３３ｂを押し上げることで、表示パネルを短時間で持ち上げることができる。
【００５０】
実施の形態２に係る表示装置の構成の内、実施の形態１と同様な構成については同じ符号を付し、その詳細な説明を省略する。
【００５１】
（実施の形態３）
以下本発明を実施の形態３に係る表示装置を示す図面に基づいて詳述する。図８は表示装置の略示断面図である。
【００５２】
図８（ａ）に示すように、前記保持板３１の縁部分に、ＬＥＤ９側（保持板３１の他面側）へ窪んだ収容凹部３１ｄが形成してある。該収容凹部３１ｄの端部には、ＬＥＤ９側へ窪んだ案内溝３１ｅが保持板３１の縁に沿って設けてある。案内溝３１ｅの一側は収容凹部３１ｄに連なっており、案内溝３１ｅの他側は前記壁部３２に連なっている。案内溝３１ｅの縁、収容凹部３１ｄの底面及び壁部３２の表示パネル１側（保持板３１の一面側）の端面は略同一面上にある。表示パネル１側の壁部３２の側面には、複数の溝が連設した調整部３２ｄが形成してあり、ＬＥＤ９側の壁部３２の側面には、外向きに突出した規制部３２ｃが形成してある。
【００５３】
前記押圧部３３は、板状の支持部３３ｃと、板状の位置決め部３３ｄとを備える。支持部３３ｃは、案内溝３１ｅの縁、収容凹部３１ｄの底面及び壁部３２の表示パネル１側の端面に載置される。支持部３３ｃはＬＥＤ９側に突出した案内部３３ｄを備えており、該案内部３３ｄは案内溝３１ｅ内に配置されている。案内部３３ｄの幅は案内溝３１ｅの幅よりも若干小さくなっている。
【００５４】
位置決め部３３ｄは、支持部３３ｃの外縁部分に直角に連なっており、壁部３２の側面に対向している。位置決め部３３ｄは、押上板３３の壁部３２に対する位置決めを行う。位置決め部３３ｄには、複数の溝が連設した調整部３３ｆが形成してあり、調整部３３ｆは調整部３２ｄに噛合する位置に配してある。また位置決め部３３ｄのＬＥＤ９側には、前記規制部３２ｃを受ける凹型の受部３３ｅが形成してある。該受部３３ｅの寸法は規制部３２ｃよりも大きく、位置決め部３３ｄが表示パネル１側又はＬＥＤ９側に受部３３ｅの寸法内で移動することができるようにしてある。
【００５５】
作業者が、位置決め部３３ｄを表示パネル１側へ移動させた場合に、図８（ｂ）の白抜矢符にて示すように、案内部３３ｄの案内によって、支持部３３ｃは表示パネル１側へ移動する。作業者は調整部３２ｄに噛合する調整部３３ｆの位置を調整し、支持部３３ｃの移動量を調整する。なお受部３３ｅの端面に規制部３３ｃが当接した場合に、支持部３３ｃの移動は停止する。
【００５６】
実施の形態３に係る表示装置にあっては、作業者が位置決め部３３ｄを表示パネル１側へ移動させることによって、支持部３３ｃが表示パネル１側へ移動し、支持部３３ｃに支持された表示パネル１が短時間で持ち上がる。また作業者が指を挿入する必要がないので、表示パネル１の周囲に大きな隙間を空ける必要がなく、額縁を狭くして、外観意匠性を向上させることができる。
【００５７】
また、支持部３３ｃを収容凹部３１ｄに収容することによって、支持部３３ｃは表示パネル１側に突出せず、表示装置の組立時において支持部３３ｃは表示パネル１を傷つけない。
【００５８】
また、各調整部３２ｄ、３３ｆを所定位置にて噛み合わせて支持部３３ｃを固定し、表示パネル１を保持板３１から所望の距離だけ持ち上げることができ、作業に応じて、支持部３３ｃの移動距離を調整することができる。
【００５９】
また、受部３３ｅの端面に規制部３３ｃを当接させることで、位置決め部３３ｄの移動を規制し、押圧部３３が保持板３１から外れることを防止することができる。
【００６０】
なお実施の形態３に係る表示装置は収容凹部３１ｄを備えているが、収容凹部３１ｄは支持部３３ｃを収容する構成であれば良く、例えば収容凹部３１ｄを、支持部３３ｃを収容する切欠に代えても良い。
【００６１】
実施の形態３に係る表示装置の内、実施の形態１又は２と同様な構成については同じ符号を付し、その詳細な説明を省略する。
【００６２】
実施の形態１〜３に係る表示装置は、ＬＥＤ９の光を表示パネル１に照射して映像を表示しているが、表示パネル１に代えて、自ら発光するパネル、例えば有機ＥＬ（Electro-Luminescence）パネルを使用しても良い。この場合ＬＥＤ９（光源）が不要であることは言うまでもない。
【符号の説明】
【００６３】
１  表示パネル
９  ＬＥＤ（光源）
３１  保持板
３１ｂ  収容切欠（収容部）
３１ｃ  収容スリット（スリット）
３１ｄ  収容凹部（収容部）
３２  壁部
３２ｂ  開口
３２ａ  壁切欠
３２ｄ、３３ｆ  調整部
３３  押圧部
３３ａ  基部
３３ｂ  支持部
３３ｃ  規制部
３３ｄ  位置決め部
３３ｅ  受部
５１  弾性部材
【図１】
2011017793.tif 000003
【図２】
2011017793.tif 000004
【図３】
2011017793.tif 000005
【図４】
2011017793.tif 000006
【図５】
2011017793.tif 000007
【図６】
2011017793.tif 000008
【図７】
2011017793.tif 000009
【図８】
2011017793.tif 000010